(57)【特許請求の範囲】
【請求項１】
透過測定部と、鏡面反射測定部と、拡散反射測定部とを備え、光源からの光束を光束絞り部で制限した後、透過測定部、鏡面反射測定部、拡散反射測定部のいずれかに照射して試料からの光を検出する分光光度計において、光束絞り部と、透過測定部と、拡散反射測定部を光学的共役の関係に配置してなることを特徴とする分光光度計。
【発明の詳細な説明】
【０００１】
【発明の属する技術分野】
本発明は、紫外可視分光光度計、紫外可視近赤外分光光度計に関し、特に固体試料の透過、反射測定に利用される分光光度計に関する。
【０００２】
【従来の技術】
たとえば、ミラー、レンズ、プリズムなどの光学素子、ガラスなどの光学的特性を問題とする材料、蒸着あるいは塗布などによって形成された薄膜などの固体試料の分光的な特性、例えば反射率、透過率を測定する場合には、試料をセットしたときの試料に対する光束の偏向の影響を抑えるために、一般に積分球が使用される。積分球を使用することにより、試料によって反射、透過された光は積分球内面でトラップされ、その積分球の壁に配置された検出器により、トラップされた光束の強度を精度良く測定できる。
ここで、試料に入射する光束は、多くの場合小さいことと平行に近いことが望まれるが、マスク等で光束を絞ると光量が損失し、また平行光では光束は小さくできない。したがって、この両者は光量の損失なしには原理的に両立しない。また、光束が小さ過ぎると試料の場所むらが測定値に影響するため、最適な光束の大きさは測定の目的に依存する。
【０００３】
従来の分光光度計では、測定部の光束の平行性を大きく失わない程度に光束を小さくし、かつ分光器から射出した単色光を損失なく検出器へ導くことに主眼を置いて設計されている。また、光学素子として色収差のない鏡を多用するため、非点収差（縦方向と横方向で結像性が異なる）を容認する設計となっていた。このため、各測定部の結像関係について配慮された設計とはなっていなかった。
【０００４】
【発明が解決しようとする課題】
試料に入射する光束の最適な大きさは、測定目的に依存するが、従来の装置では簡単に光束寸法を変えることはできず、ユーザが個別に測定目的に合わせて対応していた。通常の透過測定では、試料の直前に光束の大きさを制限する光束絞りを用意することで対応できるが、反射測定の場合には、測定部の光学的共役の位置に光束絞りが必要で、光束絞り部があらかじめ用意されていないと対応が困難な場合が多い。
また非点収差がある場合には、縦方向と横方向の光束絞り位置が異なり、一層対応が困難となる。透過測定でも、試料を可動ステージに載せ、試料の測定部位を変えながら測定しようとする場合等には、試料の直前に置かれた光束絞り及びそのホルダが、可動ステージと干渉するため、やはり透過測定部の光学的共役の位置に光束絞りを設置する必要性がある。なお、測定法が限られた場合（例えば積分球付属装置など）には、あらかじめ光束絞りを用意しているものもあるが、多目的な測定に対して容易に光束寸法を変えられるようにしてあるものはない。さらに、「試料へ入射する光束の入射角はθ以内」というように光束の平行性を要求される場合もあるが、従来装置では簡単に実現できない。
【０００５】
本発明は、上記に鑑みなされたもので、微小試料、微小部位の透過、反射測定の際に容易に光束の大きさを変えることができる分光光度計を提供することを目的とする。
【０００６】
【課題を解決するための手段】
本発明は、上記課題を解決するため、光源からの光束を光束絞り部で制限した後、透過測定部、鏡面反射測定部、拡散反射測定部のいずれかに照射して試料からの光を検出する分光光度計において、光束絞り部と、透過測定部と、拡散反射測定部を光学的共役の関係に配置してなることを特徴とする分光光度計を提供する。
本発明は、上記構成により、あらかじめ用意した１ヶ所の光束絞り位置に光束絞りを入れることにより透過測定部、拡散反射測定部の光束の大きさを変えることができる。
ここで、「光学的共役の関係」とは、１点Ａから出た光束が反射、屈折をくりかえした後に別の１点Ｂに交わる共心光線束となる関係をいう。本発明では、点Ａは光束絞り部で、点Ｂは透過測定部、鏡面反射測定部、拡散反射測定部である。
また、ＡとＢとを光学的共役の関係にせしめる光学素子の焦点の位置にさらに別の光束絞りを配置してもよい。これにより、光束の平行度を変えることができる。
【０００７】
【発明の実施の形態】
本発明の実施の形態を図面に基づいて説明する。
図１は、本発明に係る分光光度計の概略図を示す。図１の実線で示した構成は、試料を透過測定する場合の構成である。図１中の１は白色光を発する光源で、光源１の光軸上に設けられた分光器２を通り単色光となる。分光器２を出た光は、光束絞り部Ａを通り、反射鏡５で全反射した後、透過測定部Ｂに導かれる。反射鏡５は光軸上に対して４５°の角度で設置されており、分光器２からの単色光は直角方向に屈曲する。
光束絞り部Ａは、凹部を有する光束絞りホルダ３を備え、この凹部に脱着・交換可能なように光束絞り４をセットする。光束絞り４は、中央に開口を有する板である。
【０００８】
また、光束の平行度を変えるため、さらに光束絞り部Ａの後段に光束絞り部Ｅを挿入してもよい。光束絞り部Ｅは、凹部を有する光束絞りホルダ１６を備え、この凹部に脱着・交換可能なように光束絞り１７をセットする。光束絞り１７は、中央に開口を有する板である。光束絞り部Ｅは、反射鏡５の焦点位置と一致させ、光束絞り１７の開口部が小さいほど測定位置での光束は平行に近くなるようにする。
【０００９】
透過測定部Ｂは、図示しない透明な可動ステージ上に試料７が設置されており、試料７を移動させながら試料各点の透過測定を行える。光束絞り部Ａと透過測定部Ｂとは光学的共役関係にあり、光束絞り部Ａの像は透過測定部Ｂに結像する。すなわち、光束絞り４の像が透過測定部Ｂに結像されるので、光束絞り４の開口部大きさを小さくすると、比例して測定光束も小さくなる。試料７を移動させながら試料各点の透過測定を行うときに、試料に入射する光束を小さくしたい場合でも、試料７の直前に光束絞りを入れる必要がないので、可動ステージとの干渉を避けて、所望の大きさの光束を得ることができる。
【００１０】
試料７を透過した光は、反射鏡８により積分球１０に入射する。反射鏡８は試料透過光の光軸上に対して４５°の角度で設置されており、透過光は直角方向に屈曲する。積分球１０の拡散反射位置Ｃには反射鏡が取付けられており、拡散反射測定時には拡散反射測定位置Ｃに試料１１を設置する。拡散反射測定位置Ｃと透過測定部Ｂは光学的共役関係があり（すなわちＡとも共役）、Ｃの光束は光束絞り４の開口部の大きさと比例関係がある。拡散反射測定では、試料の直前に光束絞りを入れると、光束絞りに当たった光の反射光も検出されるため、測定誤差を生じる。本発明では、光束絞り４を挿入するだけで、容易に微小部分の反射測定が可能である。
なお、積分球１０で集められた光は、検出器１５で検出される。
【００１１】
鏡面反射測定をする場合は、図１の点線で示す位置に鏡面反射測定用の光学系および試料保持部を追加する。光学系は、反射鏡５で全反射した光をさらに直角方向に屈曲させるための光軸上に対して４５°の角度で設置された反射鏡６、反射鏡６で反射された光を鏡面反射測定部Ｄに集光させる凹面鏡１２からなり、試料１３で反射した光は、反射鏡１４、９により反射させて積分球１０に入射させる。光束絞り部Ａと鏡面反射測定部Ｄとは光学的共役関係にあり、光束絞り４の開口部を小さくすると鏡面反射測定部Ｄの光束は小さくなる。
【００１２】
以上のように、本発明ではＡとＢ、Ｃ、Ｄを光学的共役関係にしているので、光束絞り４を脱着、交換するだけで、透過測定、鏡面反射測定、拡散反射測定のいずれの場合にも、測定光束の大きさを制御することができ、容易に目的に合致した分光分析が実行できる。
なお、以上の説明では、光束絞り部Ａの後段に光束絞り部Ｅを挿入しているが、これは光束を平行光に近くする必要がないときは不要である。
【００１３】
【発明の効果】
本発明は、光束絞りを脱着、交換するだけで、透過測定、鏡面反射測定、拡散反射測定のいずれの場合にも、測定光束の大きさを制御することができる。これにより、微小試料或いは微小部分の透過、反射測定が容易に行え、また測定光束を大きくして、試料の比較的大きい部分の平均化された透過・反射測定が容易に行える。
さらに光束絞り部Ａの後段に光束絞りを挿入することにより測定光束が平行光束に近い状態での測定が容易に行える。
【図面の簡単な説明】
【図１】本発明の分光光度計の概略図
【符号の説明】
１：光源
２：分光器
１０：積分球
Ａ：光束絞り部
Ｂ：透過測定部
Ｃ：拡散反射測定位置
Ｄ：鏡面反射測定部
【図１】
0003829663.tif 000002